【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  自動音声認識を有するインタラクティブ通信システムにおける通話者入力レートを提供する方法において、前記インタラクティブ通信システムが複数個の入力チャネル及び複数個の出力チャネルを有し、前記インタラクティブ通信システムが複数個の自動音声認識入力チャネルを有し、該方法が、
前記複数個の自動音声認識入力チャネルの利用度を決定するステップ、
前記複数個の自動音声認識入力チャネルの前記利用度が所定の第一閾値よりも大きい場合に、前記複数個の出力チャネルの出力チャネルに係るメッセージ出力に対して関連する遅延モードを実現するステップ、
モニターされたエネルギーレベルを生成する目的で前記複数個の入力チャネルのうちの入力チャネルのエネルギーレベルをモニターするステップ、
バッファされた情報を構成する目的で以前の時間期間に亘る入力チャネルから着信されたエコーキャンセル済み入力全てよりなる複数個のサンプルをメモリバッファにストアするステップ、及び
前記モニターされたエネルギーレベルが所定のエネルギーレベルより大きい場合に、前記バッファされた情報を前記複数個の自動音声認識入力チャネルのうちの自動音声認識入力チャネルに送出し、前記入力チャネルを前記自動音声認識入力チャネルに接続するステップ
からなる方法。
【請求項２】  自動音声認識を有するインタラクティブ通信システムにおける通話者入力レートを提供する方法において、前記インタラクティブ通信システムが複数個の入力チャネル及び複数個の出力チャネルを有し、前記インタラクティブ通信システムが複数個の自動音声認識入力チャネルを有し、該方法が、
前記複数個の自動音声認識入力チャネルの利用度を決定するステップ、及び
前記複数個の自動音声認識入力チャネルの前記利用度が所定の第一閾値よりも大きい場合に、前記複数個の出力チャネルの出力チャネルに係るメッセージ出力に対して関連する遅延モードを実現するステップであって、該関連する遅延モードが、前記出力チャネルに係る前記メッセージ出力に対して、複数個のメッセージ持続時間のうちからあるメッセージ持続時間を、及び、複数個の無音期間持続時間のうちからある無音期間持続時間を、個々にあるいは組み合わせで独立に選択することによって決定される、ステップ
からなる方法。
【請求項３】  自動音声認識を有するインタラクティブ通信システムにおける通話者入力レートを提供する方法において、前記インタラクティブ通信システムが複数個の入力チャネル及び複数個の出力チャネルを有し、前記インタラクティブ通信システムが複数個の自動音声認識入力チャネルを有し、該方法が、
前記複数個の自動音声認識入力チャネルの利用度を決定するステップ、及び
前記複数個の自動音声認識入力チャネルの前記利用度が所定の第一閾値よりも大きい場合に、前記複数個の出力チャネルの出力チャネルに係るメッセージ出力に対して関連する遅延モードを実現するステップであって、該関連する遅延モードが複数個の関連する遅延モードから選択され、前記出力チャネルに係る出力に対する前記複数個の関連する遅延モードが対応する複数個の一連のメッセージを有し、ここで、前記対応する複数個の一連のメッセージは第一の一連のメッセージ及び第二の一連のメッセージを含んでおり、前記第一の一連のメッセージが前記第二の一連のメッセージと比較してより大きい漸増的遅延を有している、すなわち、前記第一の一連のメッセージのうちの各々のメッセージが前記第二の一連のメッセージのうちの各々対応するものよりも長い持続時間を有している、ステップ
からなる方法。
【請求項４】  自動音声認識向けの通話者入力レート制御を有するインタラクティブ通信システムにおいて、該システムが、
複数個の入力チャネル及び複数個の出力チャネルを有するネットワークインターフェース、
前記複数個の出力チャネルに係るメッセージ出力を行なう出力モジュール、
複数個の自動音声認識入力チャネルを有する自動音声認識モジュール、及び
前記複数個の入力チャネル、前記出力モジュール及び前記自動音声認識入力チャネルに接続された通話者入力レート制御モジュールであって、前記複数個の自動音声認識入力チャネルの利用度を決定する命令を含み、前記複数個の自動音声認識入力チャネルの前記利用度が所定の第一閾値より大きい場合に、前記出力モジュールに、前記複数個の出力チャネルのうちの出力チャネルに係るメッセージ出力に関連する遅延モードを実現させる命令を含む、通話者入力レート制御モジュール
からなるシステム。
【請求項５】  請求項４記載のシステムにおいて、前記通話者入力レート制御モジュールが、さらに、
モニターされたエネルギーレベルを生成する目的で前記複数個の入力チャネルのうちの入力チャネルのエネルギーレベルをモニターさせる命令、
バッファされた情報を構成する目的で以前の時間期間に亘る入力チャネルから着信されたエコーキャンセル済み入力全てよりなる複数個のサンプルをメモリバッファにストアさせる命令、
前記モニターされたエネルギーレベルが所定のエネルギーレベルより大きい場合に、前記バッファされた情報を前記複数個の自動音声認識入力チャネルのうちの自動音声認識入力チャネルに送出し、前記入力チャネルを前記自動音声認識入力チャネルに接続させる命令
を含むシステム。
【請求項６】  請求項４記載のシステムにおいて、前記通話者入力レート制御モジュールが、さらに、前記出力チャネルに係る前記メッセージ出力に対して、複数個のメッセージ持続時間のうちからあるメッセージ持続時間を、及び、複数個の無音期間持続時間のうちからある無音期間持続時間を、個々にあるいは組み合わせで独立に選択することによって前記関連する遅延モードを決定させる命令を含むシステム。
【請求項７】  請求項４記載のシステムにおいて、前記通話者入力レート制御モジュールが、さらに、前記出力チャネルに係る前記メッセージ出力に対する前記関連する遅延モードにおいて無音期間の利用を含ませるように前記出力モジュールに指示する命令を含むシステム。
【請求項８】  請求項４記載のシステムにおいて、前記通話者入力レート制御モジュールが、さらに、前記複数個の自動音声認識入力チャネルの前記利用度が所定の第二閾値未満である場合に、前記出力チャネルに係る前記メッセージ出力に関して無遅延モードを実現させるように前記出力モジュールに指示する命令を含むシステム。
【請求項９】  自動音声認識を有するインタラクティブ通信システムにおける通話者入力レート制御を行う装置において、該インタラクティブ通信システムが複数個の入力チャネル及び複数個の出力チャネルを有し、複数個の自動音声認識入力チャネルを有する自動音声認識コンポーネントを含み、及び前記複数個の出力チャネル上のメッセージ出力に係る出力モジュールを含み、前記装置が前記入力チャネルと、前記出力モジュールと、及び前記自動音声認識入力チャネルと接続可能であり、前記装置が、
前記複数個の入力チャネルに接続可能なオブザーバモジュール、
前記オブザーバモジュールに接続されており前記複数個の自動音声認識入力チャネルに接続可能なメモリ、及び
前記オブザーバモジュール及び前記メモリに接続されたプロセッサであって、該プロセッサは、前記出力モジュール及び前記複数個の自動音声認識入力チャネルに対してさらに接続可能であり、当該プロセッサは前記複数個の自動音声認識入力チャネルの利用度を決定する命令を有しており、前記複数個の自動音声認識入力チャネルの前記利用度が所定の第一閾値より大きい場合に、前記出力モジュールに、前記複数個の出力チャネルのうちの出力チャネルに係るメッセージ出力に関連する遅延モードを実現させる命令を有している、プロセッサ
からなる装置。
【請求項１０】  自動音声認識を有するインタラクティブ通信システムにおける通話者入力レート制御を行う装置において、前記インタラクティブ通信システムが、複数個の入力チャネル及び複数個の出力チャネルを有し、複数個の自動音声認識入力チャネルを有する自動音声認識コンポーネントを含み、前記複数個の出力チャネル上のメッセージ出力に係る出力モジュールを含み、前記装置が、
前記複数個の入力チャネルに接続可能なオブザーバモジュールであって、モニターされたエネルギーレベルを生成する目的で前記複数個の入力チャネルのうちの入力チャネルのエコー打ち消しを実現してエネルギーレベルをモニターし、前記モニターされたエネルギーレベルが所定のエネルギーレベルより大きい場合に前記入力チャネルを前記自動音声認識入力チャネルのうちの自動音声認識入力チャネルに接続するように機能するオブザーバモジュール、
前記オブザーバモジュールに接続されており前記複数個の自動音声認識入力チャネルに接続可能なメモリであって、バッファされた情報を構成する目的で以前の時間期間に亘る入力チャネルから着信されたエコーキャンセル済み入力全てよりなる複数個のサンプルをストアし、かつ、前記バッファされた情報を前記自動音声認識入力チャネルに送出するように機能するメモリ、及び
前記オブザーバモジュール及び前記メモリに接続されたプロセッサであって、前記出力モジュール及び前記複数個の自動音声認識入力チャネルに対してさらに接続可能であり、前記複数個の自動音声認識入力チャネルの利用度を決定する命令を含み、前記複数個の自動音声認識入力チャネルの前記利用度が所定の第一閾値より大きい場合に、前記出力モジュールに、前記複数個の出力チャネルのうちの出力チャネルに係る複数個のメッセージ出力に関連する遅延モードを実現させる命令を含み、さらに、前記複数個の自動音声認識入力チャネルの前記利用度が所定の第二閾値より低い場合に、前記出力モジュールに、前記複数個の出力チャネルのうちの出力チャネルに係る前記複数個のメッセージ出力に無遅延モードを実現させる命令を含むプロセッサ
からなる装置。